(57)【要約】【課題】  携帯端末の電子マネーのポイントを、Ｗｅｂサイトにアクセスすることなく、簡単に移行できるようにする。【解決手段】  携帯端末１１の第１の記憶領域１６ａに、移行設定情報を記憶し、リーダライタ２１の記憶部２４に、ポイント移行率を記憶させる。リーダライタ２１を第１の電子マネー通信部２２ａに設定し、携帯端末１１をリーダライタ２１に近接させ、第１の記憶領域１６ａをアクセスし、移行設定情報を受信する。第１の電子マネーのポイントを減算すると共に、ポイント移行率に基づいて、移行すべき第１の電子マネーのポイントに相当する第２の電子マネーのポイントを算出する。第２の電子マネー通信部２２ｂに切り替え、第２の記憶領域１６ｂをアクセスし、算出されたポイントだけ第２のポイントに加算する。携帯端末１１をリーダライタ２１に近接させるだけで、ポイント移行が行える。【選択図】  図１
2010186405.tif 000002
【特許請求の範囲】
【請求項１】
第１の電子マネーの残高または当該第１の電子マネーの利用額に応じて付与される第１のポイントが記憶される第１の記憶領域に記憶された情報の読み書きを行う第１の電子マネー制御部と、第２の電子マネーの残高または当該第２の電子マネーの利用額に応じて付与される第２のポイントが記憶される第２の記憶領域に記憶された情報の読み書きを行う第２の電子マネー制御部とを備える携帯端末と通信を行い、前記第１の電子マネーによる利用額の決済および当該利用額に応じた前記第１のポイントの付与を行うポイント移行装置であって、
前記第１の電子マネー制御部と通信を行って前記決済を行う際、当該第１の電子マネー制御部からポイント移行要求を受信する第１の電子マネー通信部と、
前記第１の電子マネー通信部が前記ポイント移行要求を受信すると、前記第１のポイントに対応する前記第２のポイントのポイント数を算出する算出部と、
前記第２の電子マネー制御部と通信を行い、前記算出部が算出した前記第２のポイントを前記第２の記憶領域に記憶させる第２の電子マネー通信部と、
を備えることを特徴とするポイント移行装置。
【請求項２】
前記第１の電子マネーの利用額に応じた前記第１のポイントのポイント数を示す第１のポイント獲得率と、前記第２の電子マネーの利用額に応じた前記第２のポイントのポイント数を示す第２のポイント獲得率とに基づいて算出されたポイント移行率が記憶される記憶部をさらに備え、
前記算出部は、前記記憶部に記憶された前記ポイント移行率に基づいて前記第１のポイントに対応する前記第２のポイントのポイント数を算出する
ことを特徴とする請求項１に記載のポイント移行装置。
【請求項３】
前記第１の電子マネー通信部は、前記第１の電子マネー制御部から送信された前記ポイント移行要求に応じて、前記第１の記憶領域に記憶された前記第１のポイントを読み出し、
前記算出部は、前記第１の電子マネー通信部が前記第１の記憶領域から読み出した前記第１のポイントに対応する前記第２のポイントのポイント数を算出する
ことを特徴とする請求項１または請求項２に記載のポイント移行装置。
【請求項４】
前記算出部は、前記第１の電子マネー制御部から送信された前記ポイント移行要求に応じて、前記第１の電子マネーにより行われた前記決済の利用額に応じた前記第１のポイントに対応する前記第２のポイントのポイント数を算出する
ことを特徴とする請求項１から請求項３までのいずれか１項に記載のポイント移行装置。
【請求項５】
前記算出部は、前記第１の電子マネー制御部から送信された前記ポイント移行要求に応じて、前記第１の電子マネーにより行われた前記決済の利用額に応じた第１のポイントが付与された結果、前記第１の記憶領域に記憶された前記第１のポイントのポイント数が一定以上になったと判定すると、前記第１のポイントに対応する前記第２のポイントのポイント数を算出する
ことを特徴とする請求項１から請求項４までのいずれか１項に記載のポイント移行装置。
【請求項６】
前記算出部は、前記第１の電子マネー制御部から送信された前記ポイント移行要求を受信した月日と、予め定められた特定の月日とを比較し、前記ポイント移行要求を受信した月日と予め定められた特定の月日とが一致すると判定すると、前記第１のポイントに対応する前記第２のポイントのポイント数を算出する
ことを特徴とする請求項１から請求項５までのいずれか１項に記載のポイント移行装置。
【請求項７】
ポイントの交換指示を取得した場合、
前記第１の電子マネー通信部が、前記第１の電子マネー制御部と通信を行って、前記第１の電子マネー制御部からポイント移行要求を受信し、
前記算出部が、前記第１の電子マネー通信部が受信した前記ポイント移行要求に基づいて、前記第１のポイントに対応する前記第２のポイントのポイント数を算出し、
前記第２の電子マネー通信部が、前記第２の電子マネー制御部と通信を行って、前記算出部が算出した前記第２のポイントを前記第２の記憶領域に記憶させる
ことを特徴とする請求項１から６までのいずれか１項に記載のポイント移行装置。
【請求項８】
第１の電子マネーの残高および当該第１の電子マネーの利用額に応じて付与される第１のポイントが記憶される第１の記憶領域に記憶された情報の読み書きを行う第１の電子マネー制御部と、第２の電子マネーの残高および当該第２の電子マネーの利用額に応じて付与される第２のポイントが記憶される第２の記憶領域に記憶された情報の読み書きを行う第２の電子マネー制御部とを備える携帯端末と通信を行い、前記第１の電子マネーによる利用額の決済および当該利用額に応じた前記第１のポイントの付与を行うポイント移行装置のコンピュータに、
第１の電子マネー通信部が、前記第１の電子マネー制御部と通信を行って前記決済を行う際、当該第１の電子マネー制御部からポイント移行要求を受信するステップと、
算出部が、前記第１の電子マネー通信部が前記ポイント移行要求を受信すると、前記第１のポイントに対応する前記第２のポイントのポイント数を算出するステップと、
第２の電子マネー通信部が、前記第２の電子マネー制御部と通信を行い、前記算出部が算出した前記第２のポイントを前記第２の記憶領域に記憶させるステップと、
を実行させるポイント移行プログラム。
【請求項９】
第１の電子マネーの残高および当該第１の電子マネーの利用額に応じて付与される第１のポイントが記憶される第１の記憶領域に記憶された情報の読み書きを行う第１の電子マネー制御部と、第２の電子マネーの残高および当該第２の電子マネーの利用額に応じて付与される第２のポイントが記憶される第２の記憶領域に記憶された情報の読み書きを行う第２の電子マネー制御部とを備える携帯端末と通信を行い、前記第１の電子マネーによる利用額の決済および当該利用額に応じた前記第１のポイントの付与を行うポイント移行装置のポイント移行方法であって、
第１の電子マネー通信部が、前記第１の電子マネー制御部と通信を行って前記決済を行う際、当該第１の電子マネー制御部からポイント移行要求を受信するステップと、
算出部が、前記第１の電子マネー通信部が前記ポイント移行要求を受信すると、前記第１のポイントに対応する前記第２のポイントのポイント数を算出するステップと、
第２の電子マネー通信部が、前記第２の電子マネー制御部と通信を行い、前記算出部が算出した前記第２のポイントを前記第２の記憶領域に記憶させるステップと、
を備えることを特徴とするポイント移行方法。
【請求項１０】
第１の電子マネーの残高および当該第１の電子マネーの利用額に応じて付与される第１のポイントが記憶される第１の記憶領域に記憶された情報の読み書きを行う第１の電子マネー制御部と、第２の電子マネーの残高および当該第２の電子マネーの利用額に応じて付与される第２のポイントが記憶される第２の記憶領域に記憶された情報の読み書きを行う第２の電子マネー制御部とを備える携帯端末と、当該携帯端末と通信を行い、前記第１の電子マネーによる利用額の決済および当該利用額に応じた前記第１のポイントの付与を行うポイント移行装置とを備えたポイント移行システムであって、
前記携帯端末の前記第１の電子マネー制御部は、
前記第１の記憶領域に記憶され、ポイント移行要求を行うか否かを示す移行設定情報に基づいて、前記決済の際に、前記ポイント移行装置にポイント移行要求を送信し、
前記ポイント移行装置は、
前記第１の電子マネー制御部と通信を行って前記決済を行う際、当該第１の電子マネー制御部からポイント移行要求を受信する第１の電子マネー通信部と、
前記第１の電子マネー通信部が前記ポイント移行要求を受信すると、前記第１のポイントに対応する前記第２のポイントのポイント数を算出する算出部と、
前記第２の電子マネー制御部と通信を行い、前記算出部が算出した前記第２のポイントを前記第２の記憶領域に記憶させる第２の電子マネー通信部と、
を備えることを特徴とするポイント移行システム。
【発明の詳細な説明】
【技術分野】
【０００１】
本発明は、電子マネーに対応して提供されるポイントを移行するためのポイント移行装置、ポイント移行プログラム、ポイント移行方法、及びポイント移行システムに関する。
【背景技術】
【０００２】
近年、電子マネー機能を有するＩＣチップを備えた携帯電話端末、ＰＤＡ（Ｐｅｒｓｏｎａｌ  Ｄｉｇｉｔａｌ  Ａｓｓｉｓｔａｎｔ）などの携帯端末が普及している。このような携帯端末は非接触ＩＣチップを搭載しており、インストールされた電子マネーのアプリケーションが動作してリーダライタと通信し、ＩＣチップに記憶された電子マネーの残高に応じて、商品購入の決済を行うことができる。
【０００３】
電子マネーのサービスでは、例えば特許文献１に示されるように、ポイントサービスが盛んに行われている。ポイントサービスでは、商品を購入する際に利用される電子マネーの利用金額と、予め定められたポイント獲得率とに応じてポイントが付与される。例えば、電子マネーを利用して１０００円の商品を購入して決済した場合、１０％のポイント獲得率であれば１００ポイントが付与され、付与されたポイントは電子マネーと同様にＩＣチップに記憶される。ユーザに獲得されてＩＣチップに記憶されたポイントは、例えば、商品の購入時に利用金額の一部として利用できる。
【先行技術文献】
【特許文献】
【０００４】
【特許文献１】特開２００３−１０８９００号公報
【発明の概要】
【発明が解決しようとする課題】
【０００５】
しかしながら、携帯端末に記憶されたこのような電子マネーやポイントは、高いセキュリティを維持するために専用のアプリケーションからのみアクセス可能となっている。一つの携帯端末で複数の電子マネーのアプリケーションを備える場合でも、それぞれの電子マネーは独立したアプリケーションとして独立して動作し、複数の電子マネーのアプリケーションを同時に立ち上げることはできない。このため、携帯端末内で、複数の電子マネーにまたがったポイントの移行を行うことはできない。
【０００６】
そこで、会社間での提携が実現している場合などには、複数の電子マネーをまたいでポイントを移行できる場合がある。ユーザは、ポイントを交換可能な会社が提携して運営するポイント移行用のＷｅｂサイトにアクセスし、ポイント移行の要求を行う。この場合、異なる電子マネーを管理するサーバ同士でポイント移行の処理が完了すると、ポイント移行結果が携帯端末に送信され、ポイントの移行が携帯端末に反映される。このように、従来では、電子マネー機能を有する携帯端末の電子マネーのポイントを移行する場合には、ポイント移行を行うためのＷｅｂサイトにアクセスする必要がある。しかしながら、Ｗｅｂサイトにアクセスしてポイント移行をするのでは、ユーザは余計な操作を強いられ、利便性に欠ける。ここで、このようなポイントの移行は、携帯端末に記憶された電子マネーの独立性を保ってセキュリティを損ねることなく、かつユーザにとって簡単に行えるようにすることが望ましい。
【０００７】
上述の課題を解決するために、本発明は、ポイント移行を行うためのＷｅｂサイトにアクセスすることなく、簡単にポイント移行を行えるポイント移行装置、ポイント移行プログラム、ポイント移行方法、及び電子マネーシステムを提供することを目的とする。
【課題を解決するための手段】
【０００８】
上述の課題を解決するために、本発明に係るポイント移行装置は、第１の電子マネーの残高または当該第１の電子マネーの利用額に応じて付与される第１のポイントが記憶される第１の記憶領域に記憶された情報の読み書きを行う第１の電子マネー制御部と、第２の電子マネーの残高または当該第２の電子マネーの利用額に応じて付与される第２のポイントが記憶される第２の記憶領域に記憶された情報の読み書きを行う第２の電子マネー制御部とを備える携帯端末と通信を行い、第１の電子マネーによる利用額の決済および当該利用額に応じた第１のポイントの付与を行うポイント移行装置であって、第１の電子マネー制御部と通信を行って決済を行う際、当該第１の電子マネー制御部からポイント移行要求を受信する第１の電子マネー通信部と、第１の電子マネー通信部がポイント移行要求を受信すると、第１のポイントに対応する第２のポイントのポイント数を算出する算出部と、第２の電子マネー制御部と通信を行い、算出部が算出した第２のポイントを第２の記憶領域に記憶させる第２の電子マネー通信部と、を備えることを特徴とする。
これにより、携帯端末で決済を行う際に、決済処理に次いでポイント移行を行うことができる。よって、ポイント移行のためのＷｅｂサイトへのアクセスは不要であり、且つ、大幅なシステム変更も不要であり、セキュリティの低下を招くことがない。
【０００９】
また、本発明は、第１の電子マネーの利用額に応じた第１のポイントのポイント数を示す第１のポイント獲得率と、第２の電子マネーの利用額に応じた第２のポイントのポイント数を示す第２のポイント獲得率とに基づいて算出されたポイント移行率が記憶される記憶部をさらに備え、算出部は、記憶部に記憶されたポイント移行率に基づいて第１のポイントに対応する第２のポイントのポイント数を算出することを特徴とする。
これにより、ポイント移行端末は、端末内でポイントの変換を行うことができる。
【００１０】
また、本発明は、第１の電子マネー通信部が、第１の電子マネー制御部から送信されたポイント移行要求に応じて、第１の記憶領域に記憶された第１のポイントを読み出し、算出部は、第１の電子マネー通信部が第１の記憶領域から読み出した第１のポイントに対応する第２のポイントのポイント数を算出することを特徴とする。
【００１１】
また、本発明は、算出部が、第１の電子マネー制御部から送信されたポイント移行要求に応じて、第１の電子マネーにより行われた決済の利用額に応じた第１のポイントに対応する第２のポイントのポイント数を算出することを特徴とする。
【００１２】
また、本発明は、算出部が、第１の電子マネー制御部から送信されたポイント移行要求に応じて、第１の電子マネーにより行われた決済の利用額に応じた第１のポイントが付与された結果、第１の記憶領域に記憶された第１のポイントのポイント数が一定以上になったと判定すると、第１のポイントに対応する第２のポイントのポイント数を算出することを特徴とする。
【００１３】
また、本発明は、算出部が、第１の電子マネー制御部から送信されたポイント移行要求を受信した月日と、予め定められた特定の月日とを比較し、ポイント移行要求を受信した月日と予め定められた特定の月日とが一致すると判定すると、第１のポイントに対応する第２のポイントのポイント数を算出することを特徴とする。
【００１４】
また、本発明は、外部からポイントの交換の指示を取得した場合、第１の電子マネー通信部が、第１の電子マネー制御部と通信を行って、第１の電子マネー制御部からポイント移行要求を受信し、算出部が、第１の電子マネー通信部が受信したポイント移行要求に基づいて、第１のポイントに対応する前記第２のポイントのポイント数を算出し、第２の電子マネー通信部が、第２の電子マネー制御部と通信を行って、算出部が算出した第２のポイントを前記第２の記憶領域に記憶させることを特徴とする。
【００１５】
また、本発明は、第１の電子マネーの残高および当該第１の電子マネーの利用額に応じて付与される第１のポイントが記憶される第１の記憶領域に記憶された情報の読み書きを行う第１の電子マネー制御部と、第２の電子マネーの残高および当該第２の電子マネーの利用額に応じて付与される第２のポイントが記憶される第２の記憶領域に記憶された情報の読み書きを行う第２の電子マネー制御部とを備える携帯端末と通信を行い、第１の電子マネーによる利用額の決済および当該利用額に応じた第１のポイントの付与を行うポイント移行装置のコンピュータに、第１の電子マネー通信部が、第１の電子マネー制御部と通信を行って決済を行う際、当該第１の電子マネー制御部からポイント移行要求を受信するステップと、算出部が、第１の電子マネー通信部がポイント移行要求を受信すると、第１のポイントに対応する第２のポイントのポイント数を算出するステップと、第２の電子マネー通信部が、第２の電子マネー制御部と通信を行い、算出部が算出した第２のポイントを第２の記憶領域に記憶させるステップと、を実行させるポイント移行プログラムである。
【００１６】
また、本発明は、第１の電子マネーの残高および当該第１の電子マネーの利用額に応じて付与される第１のポイントが記憶される第１の記憶領域に記憶された情報の読み書きを行う第１の電子マネー制御部と、第２の電子マネーの残高および当該第２の電子マネーの利用額に応じて付与される第２のポイントが記憶される第２の記憶領域に記憶された情報の読み書きを行う第２の電子マネー制御部とを備える携帯端末と通信を行い、第１の電子マネーによる利用額の決済および当該利用額に応じた第１のポイントの付与を行うポイント移行装置のポイント移行方法であって、第１の電子マネー通信部が、第１の電子マネー制御部と通信を行って決済を行う際、当該第１の電子マネー制御部からポイント移行要求を受信するステップと、算出部が、第１の電子マネー通信部がポイント移行要求を受信すると、第１のポイントに対応する第２のポイントのポイント数を算出するステップと、第２の電子マネー通信部が、第２の電子マネー制御部と通信を行い、算出部が算出した第２のポイントを第２の記憶領域に記憶させるステップと、を備えることを特徴とする。
【００１７】
また、本発明は、第１の電子マネーの残高および当該第１の電子マネーの利用額に応じて付与される第１のポイントが記憶される第１の記憶領域に記憶された情報の読み書きを行う第１の電子マネー制御部と、第２の電子マネーの残高および当該第２の電子マネーの利用額に応じて付与される第２のポイントが記憶される第２の記憶領域に記憶された情報の読み書きを行う第２の電子マネー制御部とを備える携帯端末と、当該携帯端末と通信を行い、第１の電子マネーによる利用額の決済および当該利用額に応じた第１のポイントの付与を行うポイント移行装置とを備えたポイント移行システムであって、携帯端末の第１の電子マネー制御部は、第１の記憶領域に記憶され、ポイント移行要求を行うか否かを示す移行設定情報に基づいて、決済の際に、ポイント移行装置にポイント移行要求を送信し、ポイント移行装置は、第１の電子マネー制御部と通信を行って決済を行う際、当該第１の電子マネー制御部からポイント移行要求を受信する第１の電子マネー通信部と、第１の電子マネー通信部がポイント移行要求を受信すると、第１のポイントに対応する第２のポイントのポイント数を算出する算出部と、第２の電子マネー制御部と通信を行い、算出部が算出した第２のポイントを第２の記憶領域に記憶させる第２の電子マネー通信部と、を備えることを特徴とする。
【発明の効果】
【００１８】
本発明によれば、ポイント移行を行うためのＷｅｂサイトにアクセスすることなく、携帯端末をリーダライタに近接させるだけで、簡単にポイント移行を行える。また、大幅なシステム変更が不要であり、また、セキュリティの低下を招くことがない。
【図面の簡単な説明】
【００１９】
【図１】本発明の一実施形態のシステム構成を示すブロック図である。
【図２】本発明の一実施形態における第１の電子マネー使用時の動作説明に用いるブロック図である。
【図３】本発明の一実施形態における第２の電子マネー使用時の動作説明に用いるブロック図である。
【図４】本発明の一実施形態におけるポイント移行時の動作説明に用いるブロック図である。
【図５】本発明の一実施形態におけるポイント移行率の設定の説明に用いるシーケンス図である。
【図６】本発明の一実施形態におけるポイント移行時の説明に用いるシーケンス図である。
【図７】本発明の一実施形態におけるポイント移行設定画面の説明図である。
【図８】本発明の一実施形態におけるポイント移行設定画面の説明図である。
【図９】本発明の一実施形態における第１のポイント移行方法の説明図である。
【図１０】本発明の一実施形態における第２のポイント移行方法の説明図である。
【図１１】本発明の一実施形態における第３のポイント移行方法の説明図である。
【図１２】本発明の一実施形態における第４のポイント移行方法の説明図である。
【図１３】本発明の一実施形態における第５のポイント移行方法の説明図である。
【発明を実施するための形態】
【００２０】
以下、本発明の実施の形態について図面を参照しながら説明する。図１は、本発明の一実施形態のシステム構成を示すものである。本実施形態における電子マネーシステムは、携帯端末１１と、リーダライタ２１と、決済センタに設置されたサーバ３１と、第１の電子マネーの管理会社のサーバ４１ａと、第２の電子マネーの管理会社のサーバ４１ｂとを備えている。
【００２１】
図１において、携帯端末１１は、非接触ＩＣチップを搭載しており、電子マネー機能を有している。電子マネー機能は、非接触ＩＣチップにアプリケーションがインストールされることにより実現される。この例では、携帯端末１１には、第１の電子マネー制御アプリケーション（第１の電子マネー制御部）１３ａと、第２の電子マネー制御アプリケーション（第２の電子マネー制御部）１３ｂとがインストールされている。これにより、携帯端末１１では、第１の電子マネーと第２の電子マネーとが使用可能である。携帯端末１１では、第１の電子マネーの情報と、第２の電子マネーの情報とを独立して記憶している。
【００２２】
すなわち、携帯端末１１には、第１の記憶領域１６ａと第２の記憶領域１６ｂとが設けられる。第１の記憶領域１６ａには、第１の電子マネーの残高情報と、第１の電子マネーのポイント情報と、移行設定情報とが蓄積される。この移行設定情報は、第１の電子マネーのポイントを他の電子マネーのポイントに移行させるか否かを示す情報である。例えば、移行設定情報は数値で表されており、「０」ならポイントを移行しないことを示し、「１」ならポイント移行を要求することを示す。この移行設定情報は、携帯端末１１がユーザからの操作情報の入力を受付けることによって設定され、記憶される。第２の記憶領域１６ｂには、第２の電子マネーの残高情報と、第２の電子マネーのポイント情報とが蓄積される。第１の記憶領域１６ａは、第１の電子マネー制御アプリケーション１３ａでのみ、アクセス可能である。第２の記憶領域１６ｂは、第２の電子マネー制御アプリケーション１３ｂでのみ、アクセス可能である。
【００２３】
リーダライタ２１は、携帯端末１１のＩＣチップと近接通信を行い、携帯端末１１に記憶された電子マネーの残高やポイントのデータの読み出し／書き込みを行う。リーダライタ２１は、例えば商品販売を行う店舗に置かれており、携帯端末１１に記憶された電子マネーの残高やポイントを読み書きし、決済センタのサーバ３１と通信することにより販売される商品の決済を行う。このリーダライタ２１は、例えば、ＰＯＳ（Ｐｏｉｎｔ  Ｏｆ  Ｓａｌｅｓ）レジスタを介して、決済センタのサーバ３１に接続されている。
【００２４】
リーダライタ２１は、第１の電子マネーのデータの読み出し／書き込みを行うための第１の電子マネー通信部２２ａと、第２の電子マネーのデータの読み出し／書き込みを行うための第２の電子マネー通信部２２ｂと、ポイント移行制御部２６と、通信制御部２３と、記憶部２４と、算出部２５とを備えている。電子マネー通信部２２ａは、第１の電子マネーを使用するときに、携帯端末１１の第１の電子マネー制御アプリケーション１３ａと近接通信を行い、第１の記憶領域１６ａの第１の電子マネーの残高情報、第１の電子マネーのポイント情報、及び移行設定情報の読み出し／書き込みを行う。第２の電子マネー通信部２２ｂは、第２の電子マネーを使用するときに、携帯端末１１の第２の電子マネー制御アプリケーション１３ｂと近接通信を行い、第２の電子マネーの記憶領域１６ｂの第２の電子マネーの残高情報及び第２の電子マネーのポイント情報の読み出し／書き込みを行う。
【００２５】
ポイント移行制御部２６は、第１の電子マネーのポイントを第２の電子マネーのポイントに移行する際の制御を行っている。ポイント移行の処理については、後に説明する。通信制御部２３は、ポイント移行制御部２６からの制御指示に応じて、第１の電子マネー通信部２２ａと第２の電子マネー通信部２２ｂとの動作の切り替えを行う。
記憶部２４には、ポイント移行率が記憶されている。後に説明するように、このポイント移行率は、第１の電子マネーの利用額に応じた第１のポイントのポイント数を示す第１のポイント獲得率と、前記第２の電子マネーの利用額に応じた前記第２のポイントのポイント数を示すポイント獲得率とから、決済センタのサーバ３１で計算され、リーダライタ２１に配信される。
算出部２５は、第１のポイントから第２のポイントにポイントを移行する際に、移行すべき第１のポイントに相当する第２のポイントを、記憶部２４のポイント移行率に基づいて算出している。
【００２６】
決済センタのサーバ３１は、リーダライタ２１で行われた決済に関する利用金額や決済が行われた日時などが含まれる決済情報を、第１及び第２の電子マネー・ポイント管理会社のサーバ４１ａ及び４１ｂに通知する。また、決済センタのサーバ３１は、リーダライタ２１の状態監視や設定情報の配信も行っている。
第１の電子マネー・ポイント管理会社のサーバ４１ａは、第１の電子マネーの残高や、第１の電子マネーのポイントなどを記憶し、管理している。第２の電子マネー・ポイント管理会社のサーバ４１ｂは、第２の電子マネーの残高や、第２の電子マネーのポイントなどを記憶し、管理している。第１及び第２の電子マネー・ポイント管理会社のサーバ４１ａ及び４１ｂは、決済センタのサーバ３１とネットワークを介して接続されている。
【００２７】
図２は第１の電子マネーを使用する場合を示している。第１の電子マネーを使用する場合には、リーダライタ２１の第１の電子マネー通信部２２ａを起動させる。リーダライタ２１の第１の電子マネー通信部２２ａを起動させて、携帯端末１１を近接させると、第１の電子マネー通信部２２ａからの搬送波により、携帯端末１１の第１の電子マネー制御アプリケーション１３ａが起動され、リーダライタ２１により、第１の記憶領域１６ａがアクセス可能となる。そして、リーダライタ２１により、利用した金額に応じて、第１の電子マネーの残高情報及び第１の電子マネーのポイント情報が増減される。また、第１の電子マネーによる決済情報と、第１の電子マネーのポイント増減情報が決済センタのサーバ３１に送られる。さらに、この第１の電子マネーの決済情報とポイント増減情報は、決済センタのサーバ３１から、第１の電子マネー・ポイント管理会社のサーバ４１ａに送られる。
【００２８】
図３は第２の電子マネーを使用する場合を示している。第２の電子マネーを使用する場合には、リーダライタ２１の第２の電子マネー通信部２２ｂを起動させる。リーダライタ２１の第２の電子マネー通信部２２ｂを起動させて、携帯端末１１を近接させると、第２の電子マネー通信部２２ｂからの搬送波により、携帯端末１１の第２の電子マネー制御アプリケーション１３ｂが起動され、リーダライタ２１により、第２の電子マネーの記憶領域１６ｂがアクセス可能となる。そして、リーダライタ２１により、利用した金額に応じて、第２の電子マネーの残高情報及び第２の電子マネーのポイント情報が増減される。また、第２の電子マネーによる決済情報と、第２の電子マネーのポイント増減情報が決済センタのサーバ３１に送られる。さらに、この第２の電子マネーの決済情報とポイント増減情報は、決済センタのサーバ３１から、第２の電子マネー・ポイント管理会社のサーバ４１ｂに送られる。
【００２９】
図４は第１の電子マネーのポイントを第２の電子マネーのポイントに移行する場合を示している。本実施形態による電子マネーシステムでは、リーダライタ２１の第１の電子マネー通信部２２ａを起動させて、携帯端末１１をリーダライタ２１に近接させるときに、移動設定情報に基づいて、第１の電子マネーのポイントを他の電子マネーのポイントに移行できる。なお、このポイントの移行は、第１の電子マネーによる決済と同時に行うことができる。
【００３０】
第１の記憶領域１６ａには、移行設定情報が記憶されている。ここでは、移行設定情報には、第１の電子マネーのポイントを他の電子マネーのポイントに移行させるポイント移行要求を示す情報が含まれている。リーダライタ２１の第１の電子マネー通信部２２ａを起動させて、携帯端末１１をリーダライタ２１に近接させると、第１の電子マネー制御アプリケーション１３ａは、移行設定情報を送信する。
【００３１】
リーダライタ２１のポイント移行制御部２６は、移行設定情報を読み取ると、移行設定情報として、第１の電子マネーのポイントを他の電子マネーのポイントに移行させることが設定されていることを検出する。リーダライタ２１のポイント移行制御部２６は、この移行設定情報に従って、ポイントの移行処理を行う。このとき、移行先のポイント数の計算には、記憶部２４に記憶されているポイント移行率が用いられる。リーダライタ２１のポイント移行制御部２６は、第１の電子マネー通信部２２ａにより、第１の記憶領域１６ａから移行設定情報を受信すると、第１の記憶領域１６ａの第１の電子マネーのポイントを移行するポイントに応じて減算させる。
【００３２】
ポイント移行制御部２６は、算出部２５に、記憶部２４のポイント移行率に基づいて、移行する第１の電子マネーのポイントに相当する第２の電子マネーのポイントを算出させる。そして、ポイント移行制御部２６は、通信制御部２３により、第１の電子マネー通信部２２ａから第２の電子マネー通信部２２ｂに切り替えさせ、第２の電子マネー通信部２２ｂにより第２の記憶領域１６ｂの第２のポイントを、算出されたポイントだけ加算することで、第１の電子マネーのポイントから第２の電子マネーのポイントへのポイント移行を行わせる。
【００３３】
例えば、第１の電子マネーの５００ポイントを、第２の電子マネーのポイントに変換するとする。このとき、記憶部２４に記憶されているポイント移行率が１．５であったとする。この場合には、第２の電子マネーのポイント数は、（５００×１．５＝７５０）として計算できる。
【００３４】
リーダライタ２１の第１の電子マネー通信部２２ａは、移行する５００ポイントを第１の電子マネーのポイント情報から減算し、第１の記憶領域１６ａの第１の電子マネーのポイント数を書き換えた後、第２の電子マネー通信部２２ｂに切り替える。第２の電子マネー通信部２２ｂが起動されると、リーダライタ２１は、第２の記憶領域１６ｂがアクセス可能となる。第２の記憶領域１６ｂがアクセスできたら、先に計算した７５０ポイントを第２の電子マネーのポイントに加算する。これにより、第１の電子マネーのポイントを第２の電子マネーのポイントに交換できたことになる。
【００３５】
ポイント移行により発生したポイントの増減情報は、リーダライタ２１から決済センタのサーバ３１に通知される。そして、第１の電子マネーのポイント増減情報が電子マネー・ポイント管理会社のサーバ４１ａに送られ、第２の電子マネーのポイント増減情報が第２の電子マネー・ポイント管理会社のサーバ４１ｂに送られる。
【００３６】
以上説明したように、本実施形態では、携帯端末１１をリーダライタ２１に近づけるだけで、第１の電子マネーのポイントを第２の電子マネーのポイントに移行させることができる。なお、ポイントの移行は、決済と同時に行うこともできるし、ポイントの交換だけを行うこともできる。例えば、決済を行わずにポイント交換だけを行う場合には、リーダライタ２１に対して、リーダライタ２１に接続された入力手段からポイント交換指示が入力され、リーダライタ２１に携帯端末１１が近接されると、リーダライタ２１は携帯端末１１から移行設定情報を読み出し、読み出した移行設計情報に基づいて第１の電子マネーのポイントを第２の電子マネーのポイントに移行するようにしても良い。この場合、リーダライタ２１へのポイント交換指示の入力は、例えば、リーダライタ２１にボタンを設け、ボタンが押下されることによりポイント交換指示が入力されて、リーダライタ２１は決済を行わずにポイント交換だけを行うモードに切り替わるようにしても良い。あるいは、決済センタのサーバ３１からポイント交換指示を受信するようにしても良いし、携帯端末１１からポイント交換指示を受信するようにしても良い。また、クーポン券を提供するタイミングで、ポイント移行を行うようにしても良い。
【００３７】
次に、リーダライタ２１の記憶部２４へのポイント移行率の設定について詳述する。このポイント移行率は、第１の電子マネーのポイント獲得率と、第２の電子マネーのポイント獲得率とから、決済センタのサーバ３１で計算され、リーダライタ２１に配信される。
【００３８】
図５は、リーダライタ２１の記憶部２４にポイント移行率を設定する場合の処理を示すシーケンス図である。図５において、第１の電子マネー・ポイント管理会社のサーバ４１ａは、決済センタのサーバ３１に、第１の電子マネーのポイント獲得率を通知する（ステップＳ１）。また、第２の電子マネー・ポイント管理会社のサーバ４１ｂは、決済センタのサーバ３１に、第２の電子マネーのポイント獲得率を通知する。決済管理センタのサーバ３１は、この第１の電子マネーのポイント獲得率と、第２の電子マネーのポイント獲得率とから、以下のようにして、ポイント移行率を算出する（ステップＳ３）。
【００３９】
例えば、第１の電子マネーのポイント獲得率をＲａとする。この場合、Ｙ円の支払いで獲得できる第１の電子マネーのポイント数Ｐａは、
Ｐａ＝Ｙ×Ｒａ
となる。例えば、ポイント獲得率が「０．１」であれば、１０００円の支払に対して獲得されるポイント数は１００ポイントであり、金額に対して１０％のポイントが獲得されることになる。
【００４０】
また、第２の電子マネーのポイント獲得率をＲｂとする。この場合、Ｙ円の支払いで獲得できる第２の電子マネーのポイント数Ｐｂは、
Ｐｂ＝Ｙ×Ｒｂ
となる。
【００４１】
したがって、第１の電子マネーのポイントを第２の電子マネーのポイントに移行するためのポイント移行率Ｔｒは、
Ｔｒ＝Ｒｂ／Ｒａ
として求められる。
【００４２】
例えば、第１の電子マネーでは、１００円に対して１０ポイント獲得できるとすると、ポイント獲得率Ｒａは（Ｒａ＝１０／１００）となる。第２の電子マネーでは、１００円に対して１５ポイント獲得できるとすると、ポイント獲得率Ｒｂは（Ｒｂ＝１５／１００）となる。したがって、ポイント移行率Ｔｒは、
Ｔｒ＝Ｒｂ／Ｒａ＝１．５
となる。
【００４３】
決済センタのサーバ３１は、上述のようにしてポイント移行率を算出すると、このポイント移行率を、リーダライタ２１に配信する（ステップＳ４）。これにより、リーダライタ２１の記憶部２４には、ポイント移行率が記憶される。
【００４４】
次に、携帯端末１１とリーダライタ２１とを近接させて、ポイント移行を行うときの処理について、図６のシーケンス図を使って詳述する。
前述したように、ポイント移行を行うときには、リーダライタ２１の第１の電子マネー通信部２２ａを起動させて、携帯端末１１をリーダライタ２１に近接させる。第１の電子マネー通信部２２ａが起動されたリーダライタ２１に、携帯端末１１が近接されると、携帯端末１１の第１の電子マネー制御アプリケーション１３ａが起動される。この状態で、リーダライタ２１の第１の電子マネー通信部２２ａは、携帯端末１１の第１の電子マネー制御アプリケーション１３ａに、第１の電子マネーの残高情報と、第１の電子マネーのポイント情報と、移行設定情報を要求する（ステップＳ１０１）。
【００４５】
携帯端末１１の第１の電子マネー制御アプリケーション１３ａは、第１の電子マネーの残高情報と、第１の電子マネーのポイント情報と、移行設定情報の要求を受信すると、第１の記憶領域１６ａから、第１の電子マネーの残高情報と、第１の電子マネーのポイント情報と、移行設定情報を読み出し、リーダライタ２１の第１の電子マネー通信部２２ａに応答する（ステップＳ１０２）。
【００４６】
リーダライタ２１は、購入金額に応じて電子マネーの決済を行うと共に、移行設定情報に応じて、ポイントの移行を行う。すなわち、受信した第１の電子マネー残高から、利用した金額を減算する。また、移行設定情報に応じて、第２の電子マネーに移行する分のポイントを減算する。そして、第１の電子マネーの決済結果と、第１の電子マネーでのポイントの増減結果を携帯端末１１の第１の電子マネー制御アプリケーション１３ａに送り、第１の記憶領域１６ａに書き込む（ステップＳ１０３）。
携帯端末１１は、第１の電子マネーの残高情報と、第１の電子マネーのポイント情報とを書き込むと、書き込み結果をリーダライタ２１に応答する（ステップＳ１０４）。
【００４７】
リーダライタ２１は、携帯端末１１からの応答を受信すると、第２の電子マネー通信部２２ｂが実行されるように、設定を切り替える。そして、リーダライタ２１の第２の電子マネー通信部２２ｂは、携帯端末１１の第２の電子マネー制御アプリケーション１３ｂに、第２の電子マネーのポイント情報を要求する（ステップＳ１０５）。
【００４８】
携帯端末１１の第２の電子マネー制御アプリケーション１３ｂは、この要求を受信すると、第２の電子マネーの記憶領域１６ｂから、第２の電子マネーのポイント情報を読み出し、リーダライタ２１の第２の電子マネー通信部２２ｂに送信する（ステップＳ１０６）。
【００４９】
リーダライタ２１の第２の電子マネー通信部２２ｂは、ポイント移行率により計算されたポイント数だけポイントの移行を行う。すなわち、移行すべき第１のポイント数に相当する第２のポイント数を計算し、計算したポイント数を第２のポイントに加算する。そして、ポイントの増減結果を携帯端末１１の第２の電子マネー制御アプリケーション１３ｂに送り、第２の記憶領域１６ｂに書き込む（ステップＳ１０７）。
【００５０】
携帯端末１１の第２の電子マネー制御アプリケーション１３ｂは、第２の電子マネーのポイント情報を書き込むと、書き込み結果をリーダライタ２１に応答する（ステップＳ１０８）。
【００５１】
リーダライタ２１の第２の電子マネー通信部２２ｂは、携帯端末１１からの応答を受信すると、決済センタのサーバ３１に、第１の電子マネーによる決済額と、第１及び第２の電子マネーのポイント増減額を送信する（ステップＳ１０９）。
【００５２】
決済センタのサーバ３１は、第１の電子マネーの決済額と、第１の電子マネーのポイントの増減額とを、第１の電子マネー・ポイント管理会社のサーバ４１ａに送信する（ステップＳ１１０）。また、決済センタのサーバ３１は、第２の電子マネーのポイントの増額とを、第２の電子マネー・ポイント管理会社のサーバ４１ｂに送信する（ステップＳ１１１）。これにより、第１の電子マネーのポイントが第２の電子マネーのポイントに変換されたことになる。
【００５３】
なお、リーダライタ２１に対して、リーダライタ２１に接続された入力手段からポイント交換指示が入力され、決済を行わずにポイント交換だけを行う場合には、図６を使用して説明した上述の処理において、電子マネーに関する処理を除いた処理を行えばよい。
すなわち、ステップＳ１０１で、第１の電子マネー通信部２２ａが第１の電子マネー制御アプリケーション１３ａに、第１の電子マネーのポイント情報と移行設定情報を要求し、ステップＳ１０２で、第１の電子マネー制御アプリケーション１３ａが、第１の電子マネーのポイント情報と移行設定情報を応答し、ステップＳ１０３で、第１の電子マネー通信部２２ａが第１の電子マネー制御アプリケーション１３ａに、第１の電子マネーでのポイントの増減結果を送るようにする。そして、ステップＳ１０９で、電子マネー通信部２２ｂが決済センタのサーバ３１に、第１及び第２の電子マネーのポイント増減額を送信し、ステップＳ１１０で、決済センタのサーバ３１が第１の電子マネー・ポイント管理会社のサーバ４１ａに、第１の電子マネーのポイントの増減額を送信する。ステップＳ１０４〜ステップＳ１０８、ステップＳ１１１は、上述同様である。
【００５４】
次に、携帯端末１１へのポイント移行設定について説明する。前述したように、本発明の第１の実施形態では、携帯端末１１の第１の記憶領域１６ａには、移行設定情報が記憶されている。この移行設定情報は、ユーザが携帯端末１１を操作することで設定できる。
【００５５】
図７は、ポイント移行設定を行うときの携帯端末１１の操作画面を示すものである。図７に示すように、携帯端末１１の表示部には、第１の電子マネーの残高５１と、ポイント数５２が表示される。また、表示部には、移行設定ボタン５３が表示される。
ここで、移行設定ボタン５３が押下されると、図８に示すような設定画面が表示される。この設定画面には、移行先の選択ボックス５４と、移行方法の選択ボックス５５ａ、５５ｂ、５５ｃが表示される。移行先の選択ボックス５４には、どの電子マネーのポイントに移行するかを示す選択情報が入力される。移行方法の選択ボックス５５ａ、５５ｂ、５５ｃには、移行方法の選択情報が入力される。移行方法としては、以下の第１〜第５の移行方法が選択できる。
【００５６】
（１）第１の移行方法：既に貯まっている第１の電子マネーのポイントを他の電子マネーへ移行して付与する。
（２）第２の移行方法：決済時に発生した第１の電子マネーのポイントを他の電子マネーのポイントに移行して付与する。
（３）第３の移行方法：既に貯まっている第１の電子マネーのポイントと、決済時に発生した第１の電子マネーのポイントを、他の電子マネーのポイントに移行して付与する。
（４）第４の移行方法：第１の電子マネーのポイントがある一定量以上になったら、ある一定量を他の電子マネーのポイントに移行して付与する。
（５）第５の移行方法：特定の月、日になったら、既に貯まっている第１の電子マネーのポイントを他の電子マネーへ移行して付与する。
【００５７】
移行方法は、１つ以上選択でき、優先順位に従って、条件に合致した移行方法が選択できる。以上のようにして、移行先と、移行方法が設定されると、これに応じて、携帯端末１１の第１の記憶領域１６ａに移行設定情報が記憶される。この場合、例えば、移行設定情報は、「０」であればポイント移行を要求しないことを示し、「１」であれば第１の移行方法によりポイント移行を要求することを示し、「２」であれば第２の移行方法によりポイント移行を要求することを示し、「３」であれば第３の移行方法によりポイント移行を要求することを示し、「４」であれば第４の移行方法によりポイント移行を要求することを示し、「５」であれば第５の移行方法によりポイント移行を要求することを示す。
【００５８】
上述の第１〜第５の移行方法について、更に詳述する。
＜（１）第１の移行方法：既に貯まっている第１の電子マネーのポイントを他の電子マネーへ移行して付与する＞
図９は、第１の移行方法の説明図である。図９（Ａ）は、第１の移行方法でポイントを移行した場合の移行前の電子マネーの残高及びポイント数を示し、図９（Ｂ）は、移行後の電子マネーの残高及びポイント数を示している。
【００５９】
図９（Ａ）に示すように、移行前に、第１の電子マネーの残高が１５０００円あり、第１の電子マネーのポイントが５００ポイントであったとする。また、第２の電子マネーの残高が１５０００円あり、第２の電子マネーのポイントが３００ポイントであったとする。また、第１の電子マネーのポイントは、電子マネー１０円に対して１ポイント獲得できるとする。また、第１の電子マネーから第２の電子マネーへのポイント移行率は１．５であるとする。そして、いま、第１の電子マネーを３０００円だけ使用したとする。
【００６０】
図９（Ａ）に示すように、第１の電子マネーの残高は、１５０００円であったが、３０００円使用されたので、図９（Ｂ）に示すように、電子マネーの残高は、
１５０００−３０００＝１２０００円
となる。
【００６１】
図９（Ａ）に示すように、第１の電子マネーのポイント数としては、既に、５００ポイントが貯まっている。第１の移行方法では、この既に貯まっている５００ポイントを、第２のポイントに移行する。この場合、第１の電子マネーから第２の電子マネーへのポイント移行率は１．５であるから、第１の電子マネーの５００ポイントを第２の電子マネーのポイントに移行すると、
５００×１．５＝７５０ポイント
となる。
【００６２】
第１の電子マネーのそれまでのポイント数は５００ポイントであり、そのうち、５００ポイントが第２の電子マネーに移行されるが、このとき、第１の電子マネーを３０００円だけ使用しているので、第１の電子マネーのポイントとして、
３０００×０．１＝３００ポイント
獲得する。よって、図９（Ｂ）に示すように、ポイント移行後の第１の電子マネーのポイント数は、３００ポイントとなる。
【００６３】
一方、図９（Ａ）に示すように、第２の電子マネーのそれまでのポイント数は３００ポイントである。これに、第１の電子マネーから交換したポイント数７５０ポイントが加算される。よって、図９（Ｂ）に示すように、ポイント移行後の第２の電子マネーのポイント数は、
３００＋７５０＝１０５０ポイント
となる。
【００６４】
＜（２）第２の移行方法：決済時に発生した第１の電子マネーのポイントを他の電子マネーのポイントに移行して付与する＞
図１０は、第２の移行方法の説明図である。図１０（Ａ）は、第２の移行方法でポイントを移行した場合の移行前の電子マネーの残高及びポイント数を示し、図１０（Ｂ）は、移行後の電子マネーの残高及びポイント数を示している。
【００６５】
図１０（Ａ）に示すように、移行前に、第１の電子マネーの残高が１５０００円あり、第１の電子マネーのポイントが５００ポイントであったとする。また、第２の電子マネーの残高が１５０００円あり、第２の電子マネーのポイントが３００ポイントであったとする。また、第１の電子マネーのポイントは、電子マネー１０円に対して１ポイント獲得できるとする。また、第１の電子マネーから第２の電子マネーへのポイント移行率は１．５であるとする。そして、いま、第１の電子マネーを３０００円だけ使用したとする。
【００６６】
図１０（Ａ）に示すように、第１の電子マネーの残高は、１５０００円であったが、３０００円使用されたので、図１０（Ｂ）に示すように、電子マネーの残高は、
１５０００−３０００＝１２０００円
となる。
【００６７】
このとき、第１の電子マネーを３０００円だけ使用しているので、第１の電子マネーのポイントとして、
３０００×０．１＝３００ポイント
獲得する。第２の移行方法では、この獲得したポイントを、第２の電子マネーに移行して付与する。
【００６８】
第１の電子マネーから第２の電子マネーへのポイント移行率は１．５であるから、第１の電子マネーで３００ポイント獲得すると、第２の電子マネーのポイントでは、
３００×１．５＝４５０ポイント
獲得したことになる。図１０（Ａ）に示すように、第１の電子マネーのポイント数としては、既に、５００ポイントが貯まっている。このポイント数は変更しない。よって、図１０（Ｂ）に示すように、ポイント移行後も、第１の電子マネーのポイント数は５００で変更はない。
【００６９】
一方、第２の電子マネーのそれまでのポイント数は３００ポイントであり、これに、獲得したポイント数４５０ポイントが加算される。よって、図１０（Ｂ）に示すように、ポイント移行後の第２の電子マネーのポイント数は、
３００＋４５０＝７５０ポイント
となる。
【００７０】
＜（３）第３の移行方法：既に貯まっている第１の電子マネーのポイントと、決済時に発生した第１の電子マネーのポイントを、他の電子マネーのポイントに移行して付与する＞
図１１は、第３の移行方法の説明図である。図１１（Ａ）は、第３の移行方法でポイントを移行した場合の移行前の電子マネーの残高及びポイント数を示し、図１１（Ｂ）は、移行後の電子マネーの残高及びポイント数を示している。
【００７１】
図１１（Ａ）に示すように、移行前に、第１の電子マネーの残高が１５０００円あり、第１の電子マネーのポイントが５００ポイントであったとする。また、第２の電子マネーの残高が１５０００円あり、第２の電子マネーのポイントが３００ポイントであったとする。また、第１の電子マネーのポイントは、電子マネー１０円に対して１ポイント獲得できるとする。また、第１の電子マネーから第２の電子マネーへのポイント移行率は１．５であるとする。そして、いま、第１の電子マネーを３０００円だけ使用したとする。
【００７２】
図１１（Ａ）に示すように、第１の電子マネーの残高は、１５０００円であったが、３０００円使用されたので、図１１（Ｂ）に示すように、電子マネーの残高は、
１５０００−３０００＝１２０００円
となる。
【００７３】
図１１（Ａ）に示すように、第１の電子マネーのポイント数としては、既に、５００ポイントが貯まっている。さらに、このとき、第１の電子マネーを３０００円だけ使用しているので、第１の電子マネーのポイントとして、
３０００×０．１＝３００ポイント
獲得する。よって、第１の電子マネーのポイント数は、
５００＋３００＝８００ポイント
となる。第１の電子マネーのそれまでのポイント数と、獲得したポイント数は、全て、第２のポイントに移行されるので、図１１（Ｂ）に示すように、ポイント移行後の第１の電子マネーのポイント数は、０ポイントとなる。
【００７４】
第３の移行方法では、この８００ポイントを、第２のポイントに移行する。この場合、第１の電子マネーから第２の電子マネーへのポイント移行率は１．５であるから、第１の電子マネーの８００ポイントを第２の電子マネーのポイントに移行すると、
８００×１．５＝１２００ポイント
となる。第２の電子マネーのそれまでのポイント数は、３００ポイントであり、これに、第１の電子マネーから移行した１２００ポイントが加算される。よって、図１１（Ｂ）に示すように、ポイント変換後の第２の電子マネーのポイント数は、
３００＋１２００＝１５００ポイント
となる。
【００７５】
＜（４）第４の移行方法：第１の電子マネーのポイントがある一定量以上になったら、ある一定量を他の電子マネーのポイントに移行して付与する＞
【００７６】
図１２は、第４の移行方法の説明図である。図１２（Ａ）は、第４の移行方法でポイントを移行した場合の移行前の電子マネーの残高及びポイント数を示し、図１２（Ｂ）は、移行後の電子マネーの残高及びポイント数を示している。
【００７７】
図１２（Ａ）に示すように、移行前に、第１の電子マネーの残高が１５０００円あり、第１の電子マネーのポイントが５００ポイントであったとする。また、第２の電子マネーの残高が１５０００円あり、第２の電子マネーのポイントが３００ポイントであったとする。また、第１の電子マネーのポイントは、電子マネー１０円に対して１ポイント獲得できるとする。また、第１の電子マネーから第２の電子マネーへのポイント移行率は１．５であるとする。そして、いま、第１の電子マネーを３０００円だけ使用したとする。
【００７８】
図１２（Ａ）に示すように、第１の電子マネーの残高は、１５０００円であったが、３０００円使用されたので、図１２（Ｂ）に示すように、電子マネーの残高は、
１５０００−３０００＝１２０００円
となる。
【００７９】
第４の移行方法は、既に貯まっている第１の電子マネーのポイントが一定以上になった場合に、ある一定量のポイントを他の電子マネーのポイントに移行して付与するものである。ここでは、第１の電子マネーのポイント数が６００ポイント以上に貯まったら、６００ポイントを第２の電子マネーのポイントに移行して付与するものとする。
【００８０】
図１２（Ａ）に示すように、第１の電子マネーのポイント数としては、既に、５００ポイントが貯まっている。さらに、このとき、第１の電子マネーを３０００円だけ使用しているので、第１の電子マネーのポイントとして、
３０００×０．１＝３００ポイント
獲得する。よって、第１の電子マネーのポイント数は、
５００＋３００＝８００ポイント
となる。これは、所定数６００ポイント以上になるので、そのうちの６００ポイントを第２のポイントに移行する。
【００８１】
第１の電子マネーの８００ポイントのうちの６００ポイントを移行するので、図１２（Ｂ）に示すように、移行後の第１の電子マネーのポイント数は、
８００−６００＝２００ポイント
となる。
【００８２】
第１の電子マネーから第２の電子マネーへのポイント移行率は１．５であるから、第１の電子マネーの６００ポイントを第２の電子マネーのポイントに移行すると、
６００×１．５＝９００ポイント
となる。第２の電子マネーのそれまでのポイント数は、３００ポイントであり、これに、第１の電子マネーから移行した９００ポイントが加算されるので、図１２（Ｂ）に示すように、第２の電子マネーのポイント数は、
３００＋９００＝１２００ポイント
となる。
【００８３】
＜（５）第５の移行方法：特定の月、日になったら、既に貯まっている第１の電子マネーのポイントを他の電子マネーへ移行して付与する＞
【００８４】
図１３は、第５の移行方法の説明図である。図１３（Ａ）は、第５の移行方法でポイントを移行した場合の移行前の電子マネーの残高及びポイント数を示し、図１３（Ｂ）は、移行後の電子マネーの残高及びポイント数を示している。
【００８５】
図１３（Ａ）に示すように、移行前に、第１の電子マネーの残高が１５０００円あり、第１の電子マネーのポイントが５００ポイントであったとする。また、第２の電子マネーの残高が１５０００円あり、第２の電子マネーのポイントが３００ポイントであったとする。また、第１の電子マネーのポイントは、電子マネー１０円に対して１ポイント獲得できるとする。また、第１の電子マネーから第２の電子マネーへのポイント移行率は１．５であるとする。そして、いま、第１の電子マネーを３０００円だけ使用したとする。
【００８６】
ここでは、ある特定の月、日（例えば誕生日）に、ボーナスとして、第１の電子マネーから第２の電子マネーへのポイント移行率を３．０として、特定の月、日にポイント移行を行うものとする。
【００８７】
図１３（Ａ）に示すように、第１の電子マネーのポイント数としては、既に、５００ポイントが貯まっている。第５の移行方法では、この既に貯まっている５００ポイントを、第２のポイントに移行する。この場合、第１の電子マネーから第２の電子マネーへのポイント移行率は３．０であるから、第１の電子マネーの５００ポイントを第２の電子マネーのポイントに移行すると、
５００×３．０＝１５００ポイント
となる。第１の電子マネーのそれまでのポイント数は５００ポイントであり、そのうち、５００ポイントが第２の電子マネーに移行されるが、このとき、第１の電子マネーを３０００円だけ使用しているので、第１の電子マネーのポイントとして、
３０００×０．１＝３００ポイント
獲得する。よって、図１３（Ｂ）に示すように、第１の電子マネーのポイント数は、３００ポイントとなる。
【００８８】
第２の電子マネーのそれまでのポイント数は３００ポイントであり、これに、第１の電子マネーから交換したポイント数１５００ポイントが加算される。よって、図１３（Ｂ）に示すように、第２の電子マネーのポイント数は、
３００＋１５００＝１８００ポイント
となる。
【００８９】
なお、上述の第１の移行方法と第５の移行方法とを組み合わせたり、第３の移行方法と第５の移行方法とを組み合わせたりすることも可能である。また、ポイント移行率で計算した結果、移行するポイントに端数が生じる場合には、端数が出ないようなポイントとなってから、移行を行うようにしても良い。
【００９０】
以上説明したように、本発明の実施の形態では、予め携帯端末１１でポイント移行の設定を行うことで、携帯端末１１の第１の第１の記憶領域１６ａには、移行設定情報が記憶されている。また、リーダライタ２１の記憶部２４には、決済センタのサーバ３１から配信されたポイント移行率が記憶されている。
【００９１】
そして、商品購入時に、携帯端末１１をリーダライタ２１に近接させ、第１の電子マネー通信部２２ａにより、第１の記憶領域１６ａから移行設定情報を受信すると、第１の記憶領域１６ａの第１の電子マネーのポイントを移行すべきポイントに応じて減算すると共に、記憶部２４のポイント移行率に基づいて、移行すべき第１の電子マネーのポイントに相当する第２の電子マネーのポイントを算出し、第１の電子マネー通信部２２ａから第２の電子マネー通信部２２ｂに切り替え、第２の電子マネー通信部２２ｂにより第２の記憶領域１６ｂの第２のポイントを、算出されたポイントだけ加算することで、第１の電子マネーのポイントから第２の電子マネーのポイントへのポイント移行を行っている。
【００９２】
これにより、携帯端末１１をリーダライタ２１に近接させるだけで、設定情報に従って、第１の電子マネーのポイントを他の電子マネーのポイントに移行させることができ、ポイント移行を行うＷｅｂサイトにアクセスすることなく、ポイント移行が簡単に行える。
【００９３】
なお、リーダライタ２１の第１の電子マネー通信部２２ａや、第２の電子マネー通信部２２ｂは、アプリケーションにより実現できる。第１の電子マネー通信部２２ａや第２の電子マネー通信部２２ｂをアプリケーションにより実現した場合には、通常の第１の電子マネー通信部２２ａのアプリケーションに、上述のようにしてポイント変換を行う機能を追加すれば良い。
【００９４】
すなわち、第１の電子マネー通信部２２ａのアプリケーションに、第１の記憶領域１６ａから移行設定情報を受信すると、第１の記憶領域１６ａの第１の電子マネーのポイントを移行すべきポイントに応じて減算すると共に、記憶部２４のポイント移行率に基づいて、移行すべき第１の電子マネーのポイントに相当する第２の電子マネーのポイントを算出し、第２の電子マネー通信部２２ｂのアプリケーションをトリガーして、第２の電子マネー通信部２２ｂにより第２の記憶領域１６ｂの第２のポイントを、算出されたポイントだけ加算させる機能を追加すればよい。
【００９５】
本発明は、上述した実施形態に限定されるものではなく、この発明の要旨を逸脱しない範囲内で様々な変形や応用が可能である。
なお、本発明における処理部の機能を実現するためのプログラムをコンピュータ読み取り可能な記録媒体に記録して、この記録媒体に記録されたプログラムをコンピュータシステムに読み込ませ、実行することによりポイント移行を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００９６】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００９７】
１１  携帯端末
１３ａ，１３ｂ  電子マネー制御アプリケーション
１６ａ，１６ｂ  記憶領域
１６ｂ 記憶領域
２１  リーダライタ
２２ａ，２２ｂ  電子マネー通信部
２３  通信制御部
２４  記憶部
２５  算出部
２６  ポイント移行制御部
３１  決済センタのサーバ
４１ａ  第１の電子マネー・ポイント管理会社のサーバ
４１ｂ  第２の電子マネー・ポイント管理会社のサーバ
５３ 移行設定ボタン
５４  入力ボックス
５４  選択ボックス
５５ａ〜５５ｃ  選択ボックス
【図１】
2010186405.tif 000003
【図２】
2010186405.tif 000004
【図３】
2010186405.tif 000005
【図４】
2010186405.tif 000006
【図５】
2010186405.tif 000007
【図６】
2010186405.tif 000008
【図７】
2010186405.tif 000009
【図８】
2010186405.tif 000010
【図９】
2010186405.tif 000011
【図１０】
2010186405.tif 000012
【図１１】
2010186405.tif 000013
【図１２】
2010186405.tif 000014
【図１３】
2010186405.tif 000015